【手続補正書】
【提出日】平成15年10月21日(2003.10.21)
【手続補正１】
【補正対象書類名】明細書
【補正対象項目名】発明の名称
【補正方法】変更
【補正の内容】
【発明の名称】液晶表示装置


【手続補正２】
【補正対象書類名】明細書
【補正対象項目名】特許請求の範囲
【補正方法】変更
【補正の内容】
【特許請求の範囲】
【請求項１】
各種画像を表示する液晶表示パネルと、
前記液晶表示パネルを駆動する液晶駆動回路と、
前記液晶駆動回路が前記液晶表示パネルを駆動するために用いる駆動電圧を発生する液晶駆動電圧発生回路と、
外部のマイクロプロセッサユニットから入力された表示データ及び各種制御用データに基づいて前記液晶駆動回路及び前記液晶駆動電圧発生回路を制御する表示制御回路と、
前記液晶表示パネルに表示させる前記表示データを格納する表示データRAMとを備えた液晶表示装置において、
前記表示制御回路は、前記表示データRAMにおいて前記表示データがリードライト処理期間中においては前記表示データRAMにはアクセスできないことを示すＢＵＳＹ信号を作成することを特徴とする液晶表示装置。
【請求項２】
請求項１において、
前記表示制御回路は、前記リードライト処理期間中においては前記ＢＵＳＹ信号を前記マイクロプロセッサユニットに伝達し前記マイクロプロセッサユニットからの新たな表示データを受領しない制御手段を備えることを特徴とする液晶表示装置。
【請求項３】
請求項１または２において、
前記表示データRAMは、RAMアレイと、列デコーダと、行デコーダと、前記RAMアレイの周りに配置された信号線とを備え、電気信号が前記信号線を伝播する伝播時間を前記RAMアレイの前記リードライト処理中のフラグとすることを特徴とする液晶表示装置。
【手続補正３】
【補正対象書類名】明細書
【補正対象項目名】０００１
【補正方法】変更
【補正の内容】
【０００１】
【発明の属する技術分野】
本発明は、マイクロプロセッサユニットとの間で、表示データの円滑な入出力制御が可能な表示制御回路を備えた液晶表示装置に関するものである。


【手続補正４】
【補正対象書類名】明細書
【補正対象項目名】０００４
【補正方法】変更
【補正の内容】
【０００４】
【発明が解決しようとする課題】
上述した技術のようにマイクロプロセッサユニット側のアクセス間隔を長くせざるをなかった。


【手続補正５】
【補正対象書類名】明細書
【補正対象項目名】０００５
【補正方法】変更
【補正の内容】
【０００５】
これらの問題点に鑑みて、本発明の目的とするところは、マイクロプロセッサユニット側からの制御信号に基づいて、表示データがリードライトされる表示データRAMのデータを表示パネルに表示する駆動信号を作成する表示制御回路において表示データを表示データRAMにリードライトの処理中に、マイクロプロセッサユニット側から表示データを入出力できない状態を示す制御手段を設けて、マイクロプロセッサユニットは表示データが入出力できない状態の時はアクセスを停止し確実に表示データ及びコマンドのリードライトを有効にさせる。


【手続補正６】
【補正対象書類名】明細書
【補正対象項目名】０００７
【補正方法】変更
【補正の内容】
【０００７】
本発明の液晶表示装置は、上記の目的を達成するために、各種画像を表示する液晶表示パネルと、前記液晶表示パネルを駆動する液晶駆動回路と、前記液晶駆動回路が前記液晶表示パネルを駆動するために用いる駆動電圧を発生する液晶駆動電圧発生回路と、外部のマイクロプロセッサユニットから入力された表示データ及び各種制御用データに基づいて前記液晶駆動回路及び前記液晶駆動電圧発生回路を制御する表示制御回路と、前記液晶表示パネルに表示させる前記表示データを格納する表示データRAMとを備えた液晶表示装置において、前記表示制御回路は、前記表示データRAMにおいて前記表示データがリードライト処理期間中においては前記表示データRAMにはアクセスできないことを示すＢＵＳＹ信号を作成することを特徴とする。


【手続補正７】
【補正対象書類名】明細書
【補正対象項目名】０００８
【補正方法】変更
【補正の内容】
【０００８】
また、前記表示制御回路は、前記リードライト処理期間中においては前記ＢＵＳＹ信号を前記マイクロプロセッサユニットに伝達し前記マイクロプロセッサユニットからの新たな表示データを受領しない制御手段を備えることを特徴とする。


【手続補正８】
【補正対象書類名】明細書
【補正対象項目名】０００９
【補正方法】変更
【補正の内容】
【０００９】
さらに、前記表示データRAMは、RAMアレイと、列デコーダと、行デコーダと、前記RAMアレイの周りに配置された信号線とを備え、電気信号が前記信号線を伝播する伝播時間を前記RAMアレイの前記リードライト処理中のフラグとすることを特徴とする。


【手続補正９】
【補正対象書類名】明細書
【補正対象項目名】００１２
【補正方法】変更
【補正の内容】
【００１２】
液晶表示装置１０は、大別すると、各種画像を表示する液晶表示パネル１１と、液晶表示パネル１１を実際に駆動する液晶駆動回路１２と、液晶駆動回路１２が液晶表示パネル１１を実際に駆動するために用いる駆動電圧を発生する液晶駆動電圧発生回路１３と、外部より入力された表示データ及び各種制御用の制御用データに基づいて液晶駆動回路１２及び液晶駆動電圧発生回路１３を制御する表示制御回路１４と、液晶表示パネル１１に表示させるデータを格納する表示データRAM１７と、を備えている。


【手続補正１０】
【補正対象書類名】明細書
【補正対象項目名】００１６
【補正方法】変更
【補正の内容】
【００１６】
図２に表示データRAM１７の構成を示す。実際にシリコン上に形成されたレイアウトと位置関係を示している。表示データRAMアレイ２１は液晶表示パネル１１の１画素の点灯・非点灯を示す情報が１ビットのRAMであり、液晶表示パネル１１の画素数分のRAMが並んでいる。つまり、液晶表示パネル１１の走査線が６４本、信号線の数が１００であれば１ビットのＲＡＭが縦６４個、横１００個が敷詰められている。指定されたRAMの列アドレス（１６進）と行アドレス（１６進）がそれぞれ列デコーダ２２と行デコーダ２３を通して２進にデコードされ、指定された表示データＲＡＭのリード・ライトが可能となる。


【手続補正１１】
【補正対象書類名】明細書
【補正対象項目名】００１８
【補正方法】変更
【補正の内容】
【００１８】
表示データRAMアレイ２１の周りに信号線２４が配置されていて、信号線２４のＡ点から入力した信号は伝播時間を伴ってＢ点から出力される。この伝播時間は、表示データアレイ２１の右下の領域にあるRAMのリード・ライト時間と等価になるようにしてある。


【手続補正１２】
【補正対象書類名】明細書
【補正対象項目名】００２０
【補正方法】変更
【補正の内容】
【００２０】
ライトの場合は、Ｔ３にてＷＲＩＴＥがＬ'からＨ'になった時点から設定されたＤＡＴＡのライトを開始し、同時にＡ点にパルス信号を入力する。そのパルス信号は信号線２４の伝播時間を伴いＢ点に遅れて信号が出力される。Ａ点の立ち上がり（Ｔ３）からＢ点の立ち上がり（Ｔ４）までの時間差がＲＡＭのライト時間となる。


【手続補正１３】
【補正対象書類名】明細書
【補正対象項目名】００２１
【補正方法】変更
【補正の内容】
【００２１】
次に、リードの場合であるが、Ｔ１にてREADがＨ'からL'になった時点からリードを開始し、同時にＡ点にパルス信号を入力する。信号線２４の伝播時間によりＢ点に遅れて信号が出力される。Ａ点の立ち上がり（Ｔ１）からＢ点の立ち上がり（Ｔ２）までの時間差がＲＡＭのリード時間となる。


【手続補正１４】
【補正対象書類名】明細書
【補正対象項目名】００２２
【補正方法】変更
【補正の内容】
【００２２】
ライト時間（Ｔ３からＴ４）とリード時間（Ｔ１からＴ２）はＲＡＭにアクセスでき無い時間であり、これをＢＵＳＹ信号として示す。


【手続補正１５】
【補正対象書類名】明細書
【補正対象項目名】００２５
【補正方法】変更
【補正の内容】
【００２５】
（２）  第２実施形態
第２実施形態として、図６に示されたように、液晶表示ドライバＩＣのサイズ制限やレイアウトの都合上で表示データRAM１７が２分割された時にそれぞれの表示データＲＡＭアレイＡ６１、表示データＲＡＭアレイＢ６５の周りに、それぞれのその位置より最もリード、ライトに時間を必要とするＲＡＭの時間に相当する配線Ａ６４、配線Ｂ６８を配置する。この時の列アドレス線、行アドレス線、データ線、ＲＥＡＤ線、ＷＲＩＴＥ線は共通信号とする。


【手続補正１６】
【補正対象書類名】明細書
【補正対象項目名】００２７
【補正方法】変更
【補正の内容】
【００２７】
ＢＵＳＹ信号がＨ'の時にはリード・ライトを行なわないようにする。これにより、表示データＲＡＭ１７を分割してＩＣ内で配置しても確実にＣＰＵはデータおよびコマンドを送る事が可能である。


【手続補正１７】
【補正対象書類名】明細書
【補正対象項目名】００２８
【補正方法】変更
【補正の内容】
【００２８】
表示データＲＡＭを２分割した例を挙げたが、それ以上の数で分割しても、同様の効果が得られる。


【手続補正１８】
【補正対象書類名】図面
【補正対象項目名】図２
【補正方法】変更
【補正の内容】
【図２】
2001282194.tif 000001